(57)【要約】【課題】水に沈める、あるいは、水に浮かべる、のいずれかの使用ができるものであって、清掃の行い易い浴槽用照明器具を提供することにある。【解決手段】器具本体１ｄと光源１ａとこの光源１ａに電力を供給する電池とを有し器具本体１に光源１ａと電池とを防水収納した防水器具１において、この防水器具１を水に沈む比重のものとし、防水器具１に着脱可能に取り付けられるカバー３を設け、このカバー３を取り付けることにより、防水器具１が水面から略所定の深さで浮遊するとともに、カバー３が防水器具１の上で水に浮かぶものとなる浮力部をカバー３に設けたことを特徴とする。【選択図】        図１
2004281187.tif 000002
【特許請求の範囲】
【請求項１】
器具本体と光源とこの光源に電力を供給する電池とを有し前記器具本体に前記光源と電池とを防水収納した防水器具において、この防水器具を水に沈む比重のものとし、前記防水器具に着脱可能に取り付けられるカバーを設け、このカバーを取り付けることにより、前記防水器具が水面から略所定の深さで浮遊するとともに、前記カバーが防水器具の上で水に浮かぶものとなる浮力部を前記カバーに設けたことを特徴とする浴槽用照明器具。
【請求項２】
前記カバーを器状のものとし、このカバーの開口部を前記防水器具に取り付けることにより、カバーの内側に空間が形成され、この空間が前記浮力部となって、前記カバーが水に浮かぶものとしたことを特徴とする請求項１記載の浴槽用照明器具。
【請求項３】
前記空間は、水が侵入しないように密閉されていることを特徴とする請求項２記載の浴槽用照明器具。
【請求項４】
前記カバーの少なくとも一部を透光性を有したものとし、前記光源から放出された光を、前記カバーの内側の空間と、カバーと、を介して外部に放出できるように、前記光源とカバーを配置したことを特徴とする請求項２又は３記載の浴槽用照明器具。
【請求項５】
前記カバーの内面に前記光源から放出された光を拡散する複数の凸凹面を形成したことを特徴とする請求項４記載の浴槽用照明器具。
【請求項６】
前記防水器具は、防水器具にカバーが取り付けられた状態で、カバーを防水器具の上にして卓上に置くことができる載置部を有するものであることを特徴とする請求項５記載の浴槽用照明器具。
【請求項７】
前記凸凹面を線状のリブで形成するとともに、前記載置部によりカバーを防水器具の上にして卓上に置いたときに、前記リブを器状のカバーの開口近傍から、この開口に対して略鉛直方向に設けたことを特徴とする請求項６記載の浴槽用照明器具。
【請求項８】
前記カバーの内周面を連続した曲面で形成したことを特徴とする請求項４又は７記載の浴槽用照明器具。
【発明の詳細な説明】
【０００１】
【発明の属する技術分野】
本発明は、風呂の浴槽内で使用する照明器具であって、水に沈める、あるいは、水に浮かべる、のいずれかの使用ができる浴槽用照明に関する。
【０００２】
【従来の技術】
この種の浴槽用照明器具としては、特開２００２−２３７２０１号公報に開示されたものがある。図７は、これに開示された浴槽用照明器具の側方断面図である。このものは、透光性を有する内ケース１０ｃ内に光源１ａとこの光源１ａに電力を供給する電池１ｂとを収納した器具１０と、この器具１０を内側に取り付けることにより光源１ａと電池１ｂの防水取付ができる透光性を有したカバー３０と、内ケース１０ｃとカバー３０との間に設けられた空間である浮遊タンクＸと、を備えて構成されている。そして、浮遊タンクＸの底部には、浮遊タンクＸ内の空間に流入させる水の量が調整できる開口Ｘ１が設けられている。
【０００３】
浮遊タンクＸは、その内部の空間に空気を蓄えることにより浮力を発生させて浴槽用照明器具を水に浮かばせるものである。そして、浮力の調整は、前記したように開口Ｘ１から流入させる水の量を適宜調整し、空間の内部の空気量を変化させることにより行なえるようになっている。
【０００４】
次に、このものの使用方法を図８を用いて説明する。図８は、浮遊タンクＸ内の水の量を適宜調整して浴槽の水に浴槽用照明器具を浮かべたものである。まず、浮遊タンクＸ内の水の量を少なくして浴槽用照明器具を水に浮べると、浴槽用照明器具は図８（ａ）に示すように、カバー３０の上半分が水面より上に浮かんで浮遊するものとなる。次に、このときよりも浮遊タンクＸ内の水の量を増やして浴槽用照明器具を水に浮べると、浴槽用照明器具は図８（ｂ）に示すようにカバー３０の上半分の一部が水面に沈んで浮遊するものとなる。さらに、浮遊タンクＸ内の水の量をほぼ一杯にして浴槽用照明器具を水に浮べると浴槽用照明器具は図８（ｃ）に示すようにカバー３０のほとんどが水面に沈んで浮遊するものとなる。
【０００５】
このとき光源１ａから放出された光は、器具１０及びカバー３０を透過して浴槽の水面やその上側を照らすものとなるが、特に浮遊タンクＸに流入された水の水面で光源１ａから放出された光が反射されるので、揺らぎのある光として外部に放出されるものとなる。
【０００６】
【特許文献１】
特開２００２−２３７２０１号公報
【０００７】
【発明が解決しようとする課題】
ところが上記した、浴槽用照明器具は、浮遊タンクＸに水を流入させて使用するものであるので長い間これを使用していると、浮遊タンクＸの内面に水垢が付着することがあった。また、浴槽に入浴剤や芳香剤を入れて使用した場合は、浮遊タンクＸの内面にこれらのものが残ることがあるので、これを清掃する必要があった。しかし、このものにおいては、内部の清掃が行い易い構造のものではなかった。
【０００８】
本発明は、上記事由に鑑みてなしたもので、その目的とするところは、水に沈める、あるいは、水に浮かべる、のいずれかの使用ができるものであって、清掃の行い易い浴槽用照明器具を提供することにある。
【０００９】
【課題を解決するための手段】
請求項１に係る発明の浴槽用照明器具は、器具本体と光源とこの光源に電力を供給する電池とを有し前記器具本体に前記光源と電池とを防水収納した防水器具において、この防水器具を水に沈む比重のものとし、前記防水器具に着脱可能に取り付けられるカバーを設け、このカバーを取り付けることにより、前記防水器具が水面から略所定の深さで浮遊するとともに、前記カバーが防水器具の上で水に浮かぶものとなる浮力部を前記カバーに設けたことを特徴とする。なお、ここでいう防水収納とは、防水器具の外部に存在する水が、防水器具の内部に収納された光源の電極と電池の電極に達しない収納をいう。
【００１０】
請求項２に係る発明の浴槽用照明器具は、請求項１において、前記カバーを器状のものとし、このカバーの開口部を前記防水器具に取り付けることにより、カバーの内側に空間が形成され、この空間が前記浮力部となって、前記カバーが水に浮かぶものとしたことを特徴とする。
【００１１】
請求項３に係る発明の浴槽用照明器具は、請求項２において、前記空間は、水が侵入しないように密閉されていることを特徴とする。
【００１２】
請求項４に係る発明の浴槽用照明器具は、請求項２又は３において、前記カバーの少なくとも一部を透光性を有したものとし、前記光源から放出された光を、前記カバーの内側の空間と、カバーと、を介して外部に放出できるように、前記光源とカバーを配置したことを特徴とする。
【００１３】
請求項５に係る発明の浴槽用照明器具は、請求項４において、前記カバーの内面に前記光源から放出された光を拡散する複数の凸凹面を形成したことを特徴とする。
【００１４】
請求項６に係る発明の浴槽用照明器具は、請求項５において、前記防水器具は、防水器具にカバーが取り付けられた状態で、カバーを防水器具の上にして卓上に置くことができる載置部を有するものであることを特徴とする。
【００１５】
請求項７に係る発明の浴槽用照明器具は、請求項６において、前記凸凹面を線状のリブで形成するとともに、前記載置部によりカバーを防水器具の上にして卓上に置いたときに、前記リブを器状のカバーの開口近傍から、この開口に対して略鉛直方向に設けたことを特徴とする。
【００１６】
請求項８に係る発明の浴槽用照明器具は、請求項４又は７において、前記カバーの内周面を連続した曲面で形成したことを特徴とする。
【００１７】
【発明の実施の形態】
本発明の実施の形態を図１〜図５を用いて説明する。図１は浴槽用照明器具の斜視図、図２はカバーを示す図で、図２（ａ）は断面図、図２（ｂ）は下面図を示す。また、図３は防水器具を示す図で、図３（ａ）は上面図、図３（ｂ）は側面図、図３（ｃ）は下面図を示す。図４は、水をはった浴槽にこの浴槽用照明器具を浮べたときの説明図、図５はカバーと防水器具との嵌合部を示した要部断面図である。
【００１８】
この浴槽用照明器具は、器具本体１ｄと光源１ａとこの光源１ａに電力を供給する電池（図示せず）とを有するとともに器具本体１ｄに光源１ａと電池を防水収納した防水器具１と、この防水器具１に着脱自在に取り付けられるカバー３と、を備えて構成されている。
【００１９】
器具本体１ｄは、樹脂材料により碗状に形成された碗状収納体１ｄ１と、透光性の樹脂材料により形成され碗状収納体１ｄ１の開口を塞ぐ略円板状の蓋体１ｄ２と、を備えている。そして、碗状収納体１ｄ１の外側面の底部には複数の載置部１ｄ３が形成されている。また、蓋体１ｄ２の周囲には、碗状収納体１ｄ１の開口の内周面と嵌合する第１のパッキン（図示せず）と、カバー３と嵌合する第２のパッキン７と、光源１ａを点灯させる点灯スイッチＳｗが設けられている。
【００２０】
光源１ａは、碗状収納体１ｄ１の内部であり、碗状収納体１ｄ１の中心軸上に配置されている。さらに電池は、市販されている乾電池や充電式の蓄電池が使用されており、碗状収納体１ｄ１の内部に配置されている。
【００２１】
そして、光源１ａと電池とが収納された碗状収納体１ｄ１の開口を蓋体１ｄ２で塞ぐことにより、蓋体１ｄ２に設けられた第２のパッキン７で碗状収納体１ｄ１の開口が塞がれ、碗状収納体１ｄ１の内部に水が侵入しないようになる。
【００２２】
このように器具本体１ｄに光源１ａと電池を防水収納、ずなわち、防水器具１の外部に存在する水が防水器具１の内部に収納された光源１ａの電極と電池の電極に達しない収納を行って形成されたのが防水器具１である。そして、防水器具１は、水に沈むように比重が１より大きいものになるように、器具本体１の容積や重量、あるいは使用する電池の種類などが決められている。
【００２３】
カバー３は、透光性を備えた合成樹脂により器状に形成されている。具体的には、カバー３は底部に開口部３ｘを有した中空の円錐状に形成され、開口部３ｘは前記した防水器具１の蓋体１ｄ２に設けられた第２のパッキン７に対して着脱自在に嵌合するような形状に形成されている。そして、カバー３は、その開口部３ｘを蓋体１ｄ２の第２のパッキン７に嵌合することにより、防水器具１に取り付けられる。これによりカバー３の内側には、水が侵入しないように密閉された空間Ｘ（浮力部）が形成される。なお、このようにして防水器具１にカバー３を取り付けることにより形成された空間Ｘ（浮力部）は、防水器具１を水に入れたときに、これが水に沈もうとする力よりも、十分に大きな浮力が生じるような大きさに形成されている。そして、この空間Ｘ（浮力部）を有することにより、この浴槽用照明器具は、後述するように、防水器具１が水面から略所定の深さで浮遊するとともに、カバー３が防水器具１の上で水に浮かぶものとなる。また、この浴槽用照明器具は、卓上などに載置して使用することもできるものであり、特に、碗状収納体１ｄ１の外側面の底部に設けた複数の載置部１ｄ３により、カバー３を防水器具１の上にして卓上に置くことができるものとなる。（以下、空間Ｘ（浮力部）を空間Ｘとする。）
また、カバー３の内面には、光源１ａから放出された光を拡散してカバー３の外部に放出するための複数の凸凹面が形成されている。この凸凹面を詳しく説明すると、凸凹面は、断面円弧状に形成された線状のリブ３ａを器状のカバー３の開口に設けられた開口部３ｘの近傍から、開口に対して略垂直となるように設け、さらに、このリブ３ａを連続的に波打ち模様を描くように配置した面である。そして、この凸凹面は、リブ３ａがカバー３の内面を一周するように形成されている。
【００２４】
次に、この浴槽用照明器具の動作（使用方法）を説明する。まず、器具本体１に設けられたＳｗをＯＮにし、光源１ａを点灯させるとともに、器具本体１にカバー３を取り付ける。この状態で、水をはった湯船にこの浴槽用照明器具を入れる。これにより浴槽用照明器具は、水に沈むように比重が１より大きいものになるように形成された防水器具１が水に沈もうとする。一方、カバー３の内側には、水が侵入しないように密閉された空間Ｘが形成されているので、この空間Ｘにより浮力が生じるのでカバー３は、水に浮ぼうとする。このとき空間Ｘを防水器具１が水に沈もうとする力よりも十分に大きな浮力が働くように形成しているので、防水器具１が水面から略所定の深さで浮遊するとともに、カバー３が防水器具１の上で水に浮かぶものとなる。
【００２５】
さらに、防水器具１の水面からの深さを変えたい場合は、カバー３を防水器具１から取り外し、カバー３の中に水を入れ、再びカバー３を防水器具１に取り付ければよい。これによりカバー３の内側に形成される空間Ｘの大きさが小さくなり、結果的には、空間Ｘによる浮力も小さくなるので、防水器具１は、さらに水面から深い位置で浮遊するものとなる。また、このとき空間Ｘがなくなるくらいにカバー３の中に入れる水の量を多くすると、この浴槽用照明器具は、防水器具１にカバー３を取り付けた状態のままでも水底に沈むものとなる。
【００２６】
なお、浴槽用照明器具は、水面や水中に浮遊、あるいは水底に沈ませたいずれの状態においても次のようにして光を放つものとなる。まず、碗状収納体１ｄ１の内部であり、碗状収納体１ｄ１の中心軸上に配置された光源１ａから光が放出される。この光は、透光性の樹脂材料により形成された略円板状の蓋体１ｄ２を透過し、さらにカバー３の内側に形成された空間Ｘ（水が入っているときは水も含む）を通った後、透光性の樹脂材料により形成されたカバー３を透過して外部に放出される。ここでカバー３には、断面が円弧状をなした線状の複数の凸凹面が形成されているので、光は、カバー３を透過するときにきらめきを持った光が放たれるものとなる。なお、空間Ｘに水が入っている場合は、この水の水面で光が異なる反射をするので、カバー３からは、光が揺らいで見えるものとなる。
【００２７】
そして、使用を終えるときは、カバー３を防水器具１から外し、中の水を出すとともに水を振り払い、再び、カバー３を防水器具１に取り付ける。そして、防水器具１に設けられた載置部１ｄ３を用いて、カバー３が防水器具１の上に配置されるように所定の場所に置いておけばよい。このとき断面円弧状に形成された線状のリブ３ａを器状のカバー３の開口に設けられた開口部３ｘの近傍から、開口に対して略垂直となるように設けているので、線状のリブ３ａは、略鉛直方向に配置されるものとなる。従って、カバー３の内部に水滴が残っていたとしても、水滴は線状のリブ３ａに沿って下方に落下するものとなる。また、この浴槽用照明器具を清掃する際は、カバー３を防水器具１から取り外すことにより、カバー３の開口部３ｘの内部をブラシやスポンジなどの清掃用具で清掃できるものとなる。
【００２８】
この実施の形態によると、防水器具１を水に沈む比重のものとし、防水器具１に着脱可能に取り付けられるカバー３を設け、このカバー３を取り付けることにより、防水器具１が水面から略所定の深さで浮遊するとともに、カバー３が防水器具１の上で水に浮かぶものとできる浮力部をカバー３に設けたことにより、防水器具１のみで使用するときは、これを水に沈めて使用し、カバー３を防水器具１に取り付けて使用するときは、水に浮かべて使用できるものとなるとともに、カバー３を取り外してその内部を清掃できるので、清掃の行い易いものとすることができる。
【００２９】
また、カバー３を器状のものとし、このカバー３の開口部３ｘを防水器具１に取り付けることにより、カバー３の内側に空間Ｘが形成され、この空間Ｘが浮力部となって、カバー３が水に浮かぶものとしたことにより、カバー３の内側がさらに清掃のしやすいものとなるとともに、空間Ｘの内部に所望の水を入れて、浴槽用照明器具を水に浮べることができるので、防水器具１が水面から沈む深さを変えることができるものとなる。さらに、空間Ｘは、水が侵入しないように密閉されていることにより、空間Ｘの内部に水が入らないので浴槽用照明器具の使用中に防水器具１が水面から沈む深さが変化することが無いものとなる。また、仮に、空間Ｘの内部に水が入っていたとしても、その水は、外部に出てこないものとなるので、浴槽から出して、外側面を拭くだけで、居間などの飾り棚に置くこともできる。
【００３０】
また、器状のカバー３の少なくとも一部を透光性を有したものとし、光源１ａから放出された光を、カバー３の内側の空間Ｘと、カバー３と、を介して外部に放出できるように、光源１ａとカバー３を配置したことにより、光源１ａから放出された光は、大きな空間Ｘと比較的薄く形成された器状のカバー３を介して放出するものとなるので、光のロスが少なくできるものとなる。
【００３１】
また、カバー３の内面に光源１ａから放出された光を拡散する複数の凸凹面を形成したことにより、光源１ａから放出した光を拡散できるものとなる。このとき凸凹面の形状を工夫することにより、カバー３から放出される光を、きらめきのある光や、柔らかさのある光にすることができる。
【００３２】
また、防水器具１は、防水器具１にカバー３が取り付けられた状態で、カバー３を防水器具１の上にして卓上に置くことができる載置部１ｄ３を有するものであることにより、居間などの飾り棚に置くことが容易となる上に、カバー３の内部に水滴が残っていたとしてもカバー３と防水器具１の嵌合部付近に水滴が集まるものとなる。従って、この部位に水垢が発生したとしても後の清掃が行いやすいものとなる。
【００３３】
凸凹面を線状のリブ３ａで形成するとともに、載置部１ｄ３によりカバー３を防水器具１の上にして卓上に置いたときに、リブ３ａを器状のカバー３の開口近傍から、この開口に対して略鉛直方向に設けたことにより、カバー３の内部に水滴が残っていたとしても、リブ３ａは、水滴の落下を妨げるものとはなりにくくすることができる。また、カバー３の開口近傍から開口に対して略垂直となるように設けることにより、リブ３ａが設けられていたとしてもカバー３の内面を清掃しやすいものとすることができる。
【００３４】
なお、この実施の形態において、空間Ｘは、水が侵入しないように密閉されているもので説明したが、数分間程度の使用において、空間Ｘ（浮力部）の内部に水が浸入しても、その浮力に与える影響がすくなければ、必ずしも空間Ｘを密閉する必要はない。
【００３５】
さらに、凸凹面は、断面円弧状に形成されたリブ３を連続的に形成したものであったが、凸凹面を断面正弦波状に連続的に形成してカバー３の内周面を連続した曲面で形成したものでもよい、この場合は、仮に水垢などがこの凸凹面に付着しても曲面であるので、清掃しやすいものとできる。
【００３６】
さらに、光源１ａに関しては、図６に示すように、赤色の光源を１ａＲ、緑色の光源を１ａＧ、青色の光源を１ａＢ、として３箇所に設けてもかまわない。この場合、個々の光源の光出力を変えることにより、色合いの異なる光を放つことができるものとなる。
【００３７】
【発明の効果】
請求項１記載の発明にあっては、器具本体と光源とこの光源に電力を供給する電池とを有し前記器具本体に前記光源と電池とを防水収納した防水器具において、この防水器具を水に沈む比重のものとし、前記防水器具に着脱可能に取り付けられるカバーを設け、このカバーを取り付けることにより、前記防水器具が水面から略所定の深さで浮遊するとともに、前記カバーが防水器具の上で水に浮かぶものとなる浮力部を前記カバーに設けたことにより、防水器具のみで使用するときは、これを水に沈めて使用でき、カバーを防水器具に取り付けて使用するときは、水に浮かべて使用できるものとなるとともに、カバーを取り外してその内部を清掃できるので、清掃の行い易いものとすることができる。
【００３８】
請求項２記載の発明にあっては、前記カバーを器状のものとし、このカバーの開口部を前記防水器具に取り付けることにより、カバーの内側に空間が形成され、この空間が前記浮力部となって、前記カバーが水に浮かぶものとしたことにより、請求項１に記載した効果を奏するうえに、カバーの内側がさらに清掃のしやすいものとなるとともに、空間の内部に所望の水を入れて、浴槽用照明器具を水に浮べることができるので、防水器具が水面から沈む深さを変えることができるものとなる。
【００３９】
請求項３記載の発明にあっては、前記空間は、水が侵入しないように密閉されていることにより、請求項２に記載した効果を奏するうえに、空間の内部に水が入らないので浴槽用照明器具の使用中に防水器具が水面から沈む深さが変化することが無いものとなる。また、仮に、空間の内部に水が入っていたとしても、その水は、外部に出てこないものとなるので、浴槽から出して、外側面を拭くだけで、居間などの飾り棚に置くこともできる。
【００４０】
請求項４記載の発明にあっては、前記カバーの少なくとも一部を透光性を有したものとし、前記光源から放出された光を、前記カバーの内側の空間と、カバーと、を介して外部に放出できるように、前記光源とカバーを配置したことにより、請求項２又は３に記載した効果を奏するうえに、光源から放出された光は、大きな空間と比較的薄く形成された器状のカバーを介して放出するものとなるので、光のロスが少なくできるものとなる。
【００４１】
請求項５記載の発明にあっては、前記カバーの内面に前記光源から放出された光を拡散する複数の凸凹面を形成したことにより、請求項４に記載した効果を奏するうえに、光源から放出した光を拡散できるものとなる。
【００４２】
請求項６記載の発明にあっては、前記防水器具は、防水器具にカバーが取り付けられた状態で、カバーを防水器具の上にして卓上に置くことができる載置部を有するものであることにより、請求項５に記載した効果を奏するうえに、居間などの飾り棚に置くことが容易となる上に、カバーの内部に水滴が残っていたとしてもカバーと防水器具の嵌合部付近に水滴が集まるものとなる。
【００４３】
請求項７記載の発明にあっては、前記凸凹面を線状のリブで形成するとともに、前記載置部によりカバーを防水器具の上にして卓上に置いたときに、前記リブを器状のカバーの開口近傍から、この開口に対して略鉛直方向に設けたことにより、請求項６に記載した効果を奏するうえに、カバーの内部に水滴が残っていたとしても、リブは、水滴の落下を妨げるものとはなりにくくすることができる。
【００４４】
請求項８記載の発明にあっては、前記カバーの内周面を連続した曲面で形成したことにより、請求項４又は７に記載した効果を奏するうえに、仮に水垢などがカバーの内周面に付着しても曲面であるので、清掃しやすいものとできる。
【図面の簡単な説明】
【図１】本発明の実施の形態に係る浴槽用照明器具の斜視図である。
【図２】同上の浴槽用照明器具のカバーを示す図で、図２（ａ）はその断面図、図２（ｂ）は下面図である。
【図３】同上の浴槽用照明器具の防水器具を示す図で、図３（ａ）はその上面図、図３（ｂ）は側面図、図３（ｃ）は下面図である。
【図４】同上の浴槽用照明器具を水をはった浴槽に浮べたときの説明図である。
【図５】同上の浴槽用照明器具のカバーと防水器具との嵌合部を示した要部断面図である。
【図６】同上の浴槽用照明器具の応用例を示す図で、光源を複数設けたときの防水器具の上面図である。
【図７】従来例に係る浴槽用照明器具の側方断面図である。
【図８】同上の浴槽用照明器具を水をはった浴槽に浮べたときの説明図である。
【符号の説明】
１      防水器具
１ａ    光源
１ｄ    器具本体
１ｄ１  碗状収納体
１ｄ２  蓋体
１ｄ３  載置部
３      カバー
３ａ    リブ
３ｘ    開口部
７      パッキン
Ｘ      空間（浮力部）
【図１】
2004281187.tif 000003
【図２】
2004281187.tif 000004
【図３】
2004281187.tif 000005
【図４】
2004281187.tif 000006
【図５】
2004281187.tif 000007
【図６】
2004281187.tif 000008
【図７】
2004281187.tif 000009
【図８】
2004281187.tif 000010